(57)【要約】【課題】地震等の災害発生によって断水、停電等の被害が出る前の適切な時点で浴槽へ注水する災害時自動水張りシステムを提供する。【解決手段】災害時自動水張りシステムは、自動排水栓１１を備える浴槽１と、浴槽１への湯張り機能を有する風呂給湯装置２（注水手段）と、風呂給湯装置２を遠隔操作する共にテレビ放送を視聴可能とするテレビ機能付きリモコン３（受信手段、制御手段）とを備え、テレビ機能付きリモコン３は、放送局４からの緊急警報放送を受信したときに風呂給湯装置２を作動させて浴槽１へ水張りさせる。これにより、地震等の災害発生によって断水、停電等の被害が出る前の適切な時点で浴槽１への注水が行われ、地震等の災害発生時には浴槽１に非常用水を確実に確保できる。【選択図】図１
2008045839.tif 000002
【特許請求の範囲】
【請求項１】
浴槽と、
上記浴槽に湯張り又は水張りを行う注水手段と、
災害予告等の情報である緊急警報放送を受信する受信手段と、
上記受信手段が緊急警報放送を受信したとき、上記注水手段に浴槽への湯張り又は水張りを実行させる制御手段とを備えることを特徴とする災害時自動水張りシステム。
【請求項２】
請求項１に記載の災害時自動水張りシステムにおいて、
上記受信手段は、受信した緊急警報放送信号を解析して緊急警報放送の試験放送か否かを検出するコード検出部を有し、
上記制御手段は、上記受信手段が緊急警報放送の試験放送を受信したときは、テスト運転として上記注水手段に浴槽への湯張り又は水張りを実行させるようにした災害時自動水張りシステム。
【請求項３】
浴槽と、
上記浴槽に湯張り又は水張りを行う自動湯張り機能を有する風呂給湯装置と、
上記風呂給湯装置を動作制御するための遠隔操作を行うと共にテレビ放送又はラジオ放送を受信可能とする機能を備えたリモコンとを備え、
上記リモコンは、受信するテレビ放送又はラジオ放送から災害予告等の情報である緊急警報放送を受信したとき、上記風呂給湯装置に浴槽への湯張り又は水張りを実行させることを特徴とする災害時自動水張りシステム。
【発明の詳細な説明】
【技術分野】
【０００１】
本発明は、地震等の災害時には自動的に浴槽へ非常用水を貯水する災害時自動水張りシステムに関するものである。
【背景技術】
【０００２】
この種の従来技術としては、自動排水栓を備えた浴槽と、浴槽に湯又は水を注水可能な風呂給湯装置と、地震による揺れを検知する感知器と、風呂給湯装置の作動制御用として風呂給湯装置に設けるコントローラとを備え、コントローラは、感知器により所定以上の揺れ（震度５以上）を検知したとき自動排水栓を閉止させ且つ風呂給湯装置を作動させて浴槽に自動的に湯張り又は水張りする制御を行うようにした浴槽貯水システムがある（特許文献１）。これによると、地震発生直後に浴槽へ注水して貯水でき、当面の間の生活用水を確保できるとする（特許文献１の段落００４８）。
【特許文献１】特開２００６−２２９７０号公報
【発明の開示】
【発明が解決しようとする課題】
【０００３】
上記浴槽貯水システムは、感知器により直接的に地震の揺れを検知したときに風呂給湯装置を作動させるものであり、地震によって揺れた後に動作するシステムである。そのため、風呂給湯装置による浴槽への注水途中等に断水、停電が起こり、風呂給湯装置が動作しなくなったりして浴槽に貯水できないおそれがあった。
【０００４】
本発明は、上記事情に鑑みてなされたものであり、地震等の災害発生によって断水、停電等の被害が出る前の適切な時点で浴槽へ注水する災害時自動水張りシステムを提供することを課題とする。
【課題を解決するための手段】
【０００５】
（１）本発明に係る災害時自動水張りシステムは、
浴槽と、
上記浴槽に湯張り又は水張りを行う注水手段と、
災害予告等の情報である緊急警報放送を受信する受信手段と、
上記受信手段が緊急警報放送を受信したとき、上記注水手段に浴槽への湯張り又は水張りを実行させる制御手段とを備えることを特徴とするものである（請求項１）。
【０００６】
これにより、緊急警報放送が放送されると、上記制御手段は上記注水手段に浴槽への湯張り又は水張りを実行させて浴槽に湯又は水を溜めるようにする。
ここで、上記緊急警報放送とは、放送局から放送される災害予告等の情報である。この緊急警報放送は、地震等の災害発生によって断水、停電等の被害が出る前の適切な時点で放送される。
従って、緊急警報放送を受信した時点で浴槽への湯張り又は水張りを実行させることで、地震等の災害発生によって断水、停電等の被害が出る前の適切な時点で浴槽への注水が行われ、地震等の災害発生時には浴槽に非常用水を確実に確保できる。また、緊急警報放送は、地震等の災害発生によって断水、停電等の被害が出る前の適切な時点で放送されるので、不必要に浴槽へ湯張り又は水張りすることもない。
【０００７】
（２）上記受信手段は、受信した緊急警報放送信号を解析して緊急警報放送の試験放送か否かを検出するコード検出部を有し、
上記制御手段は、上記受信手段が緊急警報放送の試験放送を受信したときは、テスト運転として上記注水手段に浴槽への湯張り又は水張りを実行させるようにしてもよい（請求項２）。
【０００８】
放送局は、月に１回定期的に緊急警報放送の試験放送を行っている。例えば、ＮＨＫ（日本放送協会）では毎月１日の午前１１時５９分からこの試験放送を放送している。
従って、上記コード検出部が緊急警報放送の試験放送を検出したとき、すなわち上記受信手段が緊急警報放送の試験放送を受信したときは、テスト運転として上記注水手段を作動させて浴槽への湯張り又は水張りを実行させるので、これによって、本システムが正常に動作するか否かを毎月１回定期的に確認することができる。
なお、ＮＨＫによる緊急警報放送の試験放送を受信するようにすれば、毎月１日という決まった日に本システムのテスト運転を確認できるので、使用者がテスト運転を本システムの誤動作等と誤認することも回避できる。
【０００９】
（３）また、本発明に係る災害時自動水張りシステムは、
浴槽と、
上記浴槽に湯張り又は水張りを行う自動湯張り機能を有する風呂給湯装置と、
上記風呂給湯装置を動作制御するための遠隔操作を行うと共にテレビ放送又はラジオ放送を受信可能とする機能を備えたリモコンとを備え、
上記リモコンは、受信するテレビ放送又はラジオ放送から災害予告等の情報である緊急警報放送を受信したとき、上記風呂給湯装置に浴槽への湯張り又は水張りを実行させることを特徴とするものである（請求項３）。
【００１０】
これにより、緊急警報放送が放送されると、リモコンからの作動指令によって風呂給湯装置を作動させて浴槽に湯又は水を溜めるようにする。
上記緊急警報放送は、上記（１）で述べたとおり、災害予告等の情報である。従って、地震等の災害発生によって断水、停電等の被害が出る前の適切な時点で風呂給湯装置を利用して浴槽への注水ができ、地震等の災害発生時には浴槽に非常用水を確実に確保できる。
しかも、上記風呂給湯装置の動作は、リモコンからの作動指令によって実行されるので、現在使用している風呂給湯システム（リモコンによって遠隔操作できる風呂給湯装置）のリモコンを上記リモコンと交換するだけで、簡易に本災害時自動水張りシステムを実現できる。
なお、上記リモコンは、上記（２）のようなコード検出部及び制御手段の機能を有し、緊急警報放送の試験放送を受信するとテスト運転の実行を指令するようにしてもよい。
【発明の効果】
【００１１】
（１）請求項１に係る発明によれば、災害予告等の情報である緊急警報放送が放送されると、この時点で浴槽への湯張り又は水張りを実行するので、従来のように地震の揺れを検知してから浴槽への注水を実行するものに比して、地震が起こって断水や停電する前の適切な時点で浴槽内に非常用水を溜めることができる。従って、地震が起こって断水や停電したときには、当分の間の非常用水を確実に確保できる。また、不必要に浴槽に貯水されることもない。
（２）請求項２に係る発明によれば、請求項１の効果に加え、緊急警報放送の試験放送を受信してテスト運転を実行することで、本システムが正常に動作するか否かを確認することができ、使用者にとっては災害時の非常用水確保に対する安心感が得られ、また、本システムに対する信頼性を得ることもできる。
（３）請求項３に係る発明によれば、請求項１の効果に加え、上記リモコンを装備させることで、現在の風呂給湯システムを有効活用して本災害時自動水張りシステムを簡易に実現できる。
【発明を実施するための最良の形態】
【００１２】
以下に、本発明の実施の形態について添付図面を参照しながら説明する。
図１に示すように、本実施の形態による災害時自動水張りシステムは、自動排水栓１１を備える浴槽１と、浴槽１への湯張り機能を有する風呂給湯装置２（注水手段）と、風呂給湯装置２を遠隔操作する共にテレビ放送を視聴可能とするテレビ機能付きリモコン３（受信手段、制御手段）とを備え、テレビ機能付きリモコン３は、放送局４からの緊急警報放送を受信したときに風呂給湯装置２を作動させて浴槽１へ水張りさせるようにしたものである。
【００１３】
ここで、緊急警報放送（ＥＷＳ：Emergency Warning System）とは、（１）大規模地震の警戒宣言、（２）津波警報、（３）都道府県知事の放送要請のいずれかがあると、テレビ局やラジオ局等の放送局４から放送されるデータ放送である。この緊急警報放送の信号は、開始信号、緊急災害情報、終了信号によって構成され、開始信号と終了信号は、１０２４Ｈｚ（ビット”１”）、６４０Ｈｚ（ビット”０”）の可聴信号で変調されたＦＳＸ（周波数シフトキーイング）方式のコード信号となっている。従って、テレビ局やラジオ局の放送電波に上記コード信号が含まれているか否か解析することで、緊急警報放送の有無を認識できる。また、各放送局４は、緊急警報放送の試験放送を月に１回定期的に放送しており、この試験放送では上記終了信号が送信される。従って、本番の緊急警報放送と、その試験放送とは、上記コード信号を解析することで識別できる。ちなみに、ＮＨＫ（日本放送協会）では毎月１日に緊急警報放送の試験放送を行っている。
【００１４】
次に、本災害時自動水張りシステムの各部の構成を説明する。
図１を参照して、上記風呂給湯装置２は、給湯用熱源部５と、風呂追焚き用熱源部６と、これらを制御する制御ユニット７とを備える。
給湯用熱源部５は、給湯水路５１に設けた熱交換器５２と、この熱交換器５２を加熱するバーナ５３とを有し、給湯運転時は、給湯水路５１の給水管５４に供給される水を熱交換器５２で加熱して温水とし、この温水を給湯水路５１の給湯管５５を介してシャワーヘッド等の出湯口から出湯するように構成している。風呂追焚き用熱源部６は、浴槽１に連通する循環水路６１に設けた熱交換器６２と、この熱交換器６２を加熱するバーナ６３とを有し、追焚き運転時は、浴槽１内の風呂水を循環水路６１に設けたポンプ６４により循環させつつ熱交換器６２で加熱するように構成している。
【００１５】
また、給湯管５５から分岐した風呂落込み管２１が循環水路６１に接続されており、この風呂落込み管２１には、注湯量を計測する流量カウンタ２２と、制御ユニット７で開閉制御される風呂落込み弁２３と、循環水路６１から風呂落込み管２１への逆流を阻止する逆止弁２４とが設けられている。そして、湯張り運転時は、風呂落込み弁２３を開弁して給湯用熱源部５の給湯管５５に供給された温水を風呂落込み管２１と循環水路６１とを通じて浴槽１へ注湯し、流量カウンタ２２で計測する浴槽１への注湯量が設定された湯張り量と一致したところで風呂落込み弁２３を閉弁して浴槽１への注湯を終了する。なお、浴槽１への水張り運転時は、バーナ５３を燃焼させずに風呂落込み弁２３を開弁させる。
【００１６】
制御ユニット７は、テレビ機能付きリモコン３と通信接続されており、テレビ機能付きリモコン３からの指令信号に応じて、上記給湯用熱源部５や上記風呂追焚き用熱源部６を動作制御して、上記の給湯、追焚き、湯張りを行わせ、また、緊急警報放送が放送されたときには浴槽１への水張りを行わせる。
【００１７】
上記浴槽１には、底部に設けた排水口に自動排水栓１１が設けられている。この自動排水栓１１は、風呂給湯装置２の制御ユニット７と電気的に接続されており、テレビ機能付きリモコン３からの指令信号に応じて、制御ユニット７により開閉制御される。なお、自動排水栓１１には、その開閉状態を検知する位置センサ（図示せず）が設けられ、この位置センサの検知信号が制御ユニット７に入力される。
【００１８】
図２に示すように、上記テレビ機能付きリモコン３は、リモコン用操作スイッチ３１やテレビ用操作スイッチ３２、液晶パネル等の表示部３３、スピーカ３４、画像処理部３５、音声処理部３６、リモコン機能部８（制御手段）、テレビ機能部９（受信手段）等を備える。
【００１９】
リモコン機能部８は、風呂給湯装置２との通信を行う通信回路部８１と、風呂給湯装置２の遠隔操作等のための制御を行うリモコン制御部８２とを有する。そして、リモコン制御部８２は、リモコン用操作スイッチ３１の操作に応じて、画像処理部３５での処理により風呂給湯装置２の設定情報を表示部３３に表示させると共に、通信回路部８１での処理により風呂給湯装置２の制御ユニット７と通信して風呂給湯装置２を遠隔操作する制御を行う。なお、表示部３３に表示させる上記設定情報には、給湯運転時の給湯温度、追焚き運転時の追焚き温度、湯張り運転時の湯張り量や湯張り温度、さらには緊急警報放送が放送されたときの水張り運転時の貯水量などが含まれる。また、リモコン制御部８２は、スイッチ３１の操作音やガイダンス音声等を音声処理部３６での処理によりスピーカ３４から出力する制御を行う。さらに、リモコン制御部８２は、テレビ機能部９から緊急警報放送を受信した旨の動作信号が入力されると、通信回路部８１を介して、風呂給湯装置２により浴槽１に水張りさせる注水指令信号を風呂給湯装置２の制御ユニット７に対して出力する制御を行う。
【００２０】
テレビ機能部９は、各放送局４のテレビ放送周波数に同調させるチューナ９１と、テレビ放送信号中に緊急警報放送システムで定められた緊急警報放送を示すコード信号を検出し解析するコード検出部９２と、テレビ放送視聴等のための制御を行うテレビ制御部９３とを有する。そして、テレビ制御部９３は、テレビ用操作スイッチ３２のうちチャンネルスイッチで所望の放送局４を選局すると、チューナ９１が目的の放送局４の放送周波数に同調してその放送局４のテレビ放送信号を受信するように制御すると共に、このテレビ放送信号に含むテレビ映像を画像処理部３５での処理により表示部３３に表示させ、テレビ放送信号に含むテレビ音声を音声処理部３６での処理によりスピーカ３４から出力するように制御する。また、テレビ制御部９３は、コード検出部９２が緊急警報放送を示すコード信号を検出すると、その旨を示す検出信号をリモコン制御部８２へ出力する。なお、コード検出部９２は、検出した緊急警報放送信号を解析して本番の緊急警報放送か、緊急警報放送の試験放送かを区別してテレビ制御部９３に信号出力し、また、テレビ制御部９３もコード検出部９２からの入力信号に応じて本番の緊急警報放送か、緊急警報放送の試験放送かを区別してリモコン制御部８２に信号出力する。
【００２１】
次に、放送局４から緊急警報放送が放送されたときの動作を、図３に基づいて説明する。
テレビ機能付きリモコン３には風呂給湯装置２から電源供給されているので、そのテレビ機能部９は、チューナ９１で所定のテレビ放送信号を常時受信し（Ｓ１）、コード検出部９２でそのテレビ放送信号に緊急警報放送のコード信号が含まれているか否か、すなわち、放送局４から緊急警報放送が放送されたか否を常時検出している（Ｓ２）。
【００２２】
そして、コード検出部９２が緊急警報放送のコード信号を検出すると、その検出信号をテレビ制御部９３に出力し、テレビ制御部９３は、緊急警報放送が放送された旨の動作信号をリモコン機能部８のリモコン制御部８２に出力する。すると、リモコン制御部８２は、通信回路部８１を介して風呂給湯装置２の制御ユニット７に対し、浴槽１へ水張りさせるための自動注水指令信号を送信する（Ｓ３）。このとき、テレビ制御部９３又はリモコン制御部８２は、画像処理部３５や音声処理部３６を制御して、緊急警報放送の放送によって浴槽１へ水張りする旨を表示部３３やスピーカ３４で報知するようにしてもよい。
【００２３】
なお、上記自動注水指令信号には、浴槽１への注水指令と貯水量の情報を含む。注水指令は、バーナ５３を燃焼させることなく浴槽１への水張りを行わせる指令である。貯水量は、浴槽１へ注水する水張り量の情報である。そして、この貯水量としては、好ましくは浴槽１の最大容積（浴槽１１００％の貯水量）とする。但し、浴槽１は浴室の広さ等によって各種サイズのものが施工されるため、施工された浴槽１の最大容積をテレビ機能付きリモコン３等に予め設定されることが少ないこと、使用者がテレビ機能付きリモコン３に適宜設定した湯張り運転時の湯張り量は浴槽１の容積１００％に設定されていることが少ないこと等を考慮し、この自動注水指令信号に含める貯水量を、例えば、使用者が設定した湯張り量の２倍とすること等でもよい。これにより、地震等で断水したときに、より多くの量の非常用水を確実に確保できる。
【００２４】
そして、風呂給湯装置２において、制御ユニット７は、テレビ機能付きリモコン３からの自動注水指令信号を受信すると（Ｓ１１）、以下の動作制御を行う。
まず、浴槽１における自動排水栓１１の開閉状態を検出し（Ｓ１２）、自動排水栓１１が開栓している場合はこれを閉栓させる（Ｓ１３）。自動排水栓１１が閉栓している場合はその閉栓状態を維持する。なお、自動排水栓１１の開閉状態の検出は、自動排水栓１１に設けた位置センサからの検出信号に基づいて行われる。
【００２５】
次いで、風呂落込み弁２３を駆動制御して開弁し、給湯管５５に供給される水を風呂落込み管２１に流し込んで循環水路６１へ導いて、循環水路６１から浴槽１への注水を開始させる（Ｓ１４）。このとき、バーナ５３は燃焼させない。また、このとき、風呂給湯装置２が給湯運転中の場合はバーナ５３の燃焼を停止させて浴槽１への注水動作（風呂落込み弁２３の開弁など）を優先させる。
そして、浴槽１への注水を開始すると、流量カウンタ２２で計測される風呂落込み管２１での水量、すなわち浴槽１への注水量が制御ユニット７に入力され、この注水量の積算値がテレビ機能付きリモコン３から送信された貯水量と一致したところで風呂落込み弁２３を閉弁して浴槽１への注水を終了させる（Ｓ１５，Ｓ１６）。
以上により、浴槽１に非常用水が貯水される。
【００２６】
このように、本実施の形態の災害時自動水張りシステムによれば、放送局４から災害予告等の情報である緊急警報放送が放送されると、テレビ機能付きリモコン３は、この緊急警報放送を受信し、この時点で風呂給湯装置２を作動させて浴槽１への注水を実行する。従って、地震の揺れを検知してから浴槽１への注水を実行する従来技術（特開２００６−２２９７０号公報）に比して、地震が起こって断水や停電する前の適切な時点で、使用者の指示ではなく自動的に風呂給湯装置２を作動させて浴槽１内に非常用水を溜めることができる。その結果、地震が起こって断水や停電したときには、当分の間の非常用水を確実に確保できる。
【００２７】
なお、上記動作で浴槽１の自動排水栓１１が閉状態のとき（Ｓ１２で「Ｙｅｓ」判定のとき）、この閉状態を維持して浴槽１への注水を開始させるが（Ｓ１２からＳ１４へ移行）、自動排水栓１１を一旦開栓させて所定時間経過後に閉栓して注水開始するようにしてもよい。これにより、浴槽１内に残り湯が溜まっていた場合は、この残り湯を排水した後に新しい水を浴槽１内に溜め、キレイな水を非常用の生活用水として利用することができる。
また、上記動作で浴槽１の自動排水栓１１が閉状態のとき（Ｓ１２で「Ｙｅｓ」判定のとき）、循環水路６１等に浴槽１内の水位を検出する水位センサを設ける場合は、この水位センサの検出信号に基づいて浴槽１内に残り湯が溜まっているか否か判定し、残り湯が溜まっていないと判定されたときは、そのまま自動排水栓１１の閉状態を維持して注水開始し、残り湯が溜まっていると判定されたときは、自動排水栓１１を開栓させて残り湯を排水させた後に再び自動排水栓１１を閉栓して浴槽１への注水を開始するようにしてもよい。
【００２８】
次に、テスト運転を行う場合を説明する。
前述のとおり、各放送局４は、緊急警報放送の試験放送を月に１回定期的に放送しているので、この試験放送を受信してテスト運転を行う。すなわち、緊急警報放送の試験放送では、本番の緊急警報放送信号における終了信号が送信される。
そして、テレビ機能付きリモコン３におけるコード検出部９２は、受信した緊急警報放送のコード信号が、開始信号と終了信号とを含むか（本番の緊急警報放送の場合）、終了信号だけか（緊急警報放送の試験放送）を解析し、緊急警報放送信号に開始信号がなく終了信号だけによるコード信号を受信すると、緊急警報放送の試験放送があった旨を示す試験検出信号をテレビ制御部９３に出力する。すると、テレビ制御部９３は、緊急警報放送の試験放送が放送された旨の試験動作信号をリモコン機能部８のリモコン制御部８２に出力し、通信回路部８１を通して風呂給湯装置２の制御ユニット７に対し、テスト運転として浴槽１へ水張りさせるための試験自動注水指令信号を送信する。この試験自動注水指令信号を風呂給湯装置２の制御ユニット７が受信すると、上述の本番のときの動作と同様に、風呂給湯装置２を作動して浴槽１への水張りを実行させる（図３のＳ１１〜Ｓ１６）。以上により、テスト運転の作動によって浴槽１に貯水される。
【００２９】
なお、このテスト運転の場合、リモコン制御部８２は、風呂給湯装置２の制御ユニット７に対し送信する試験自動注水指令信号に含める貯水量としては、節水のため、浴槽１へ注水されたことが使用者に分かる程度（例えば、湯張り運転時の湯張り量の１／１０とか、浴槽１の容積の１／２０程度とか）の少量に設定するようにしてもよい。あるいは、流量カウンタ２２が注水を確認した時点で、注水停止するようにしてもよい。
【００３０】
従来技術の浴槽貯水システム（特開２００６−２２９７０号公報）は、感知器を設けて地震によって揺れた後に動作させるシステムであるため、この従来技術のシステムが正常に動作するか否かを確認するには、システムを実際に揺らす必要がある。しかし、感知器は、地震の揺れを検知する特性上固定して設置されているから、施工後においては、当該システムの動作確認は現実には不可能であった。
これに対して、本実施の形態による災害時自動水張りシステムは、放送局４から放送される緊急警報放送という災害予告等の情報を取得して風呂給湯装置２を作動させるシステムであるから、上述のとおり、緊急警報放送の試験放送が行われることを利用して、本災害時自動水張りシステムの施工後にあってもテスト運転を行うことができる。従って、本災害時自動水張りシステムは、従来技術のものとは異なり、テスト運転を実行させてシステムが正常に動作するか否かの確認ができ、使用者にとって、災害時の水の確保に安心感が得られ、且つ本システムに対する信頼性をも向上できる。
【００３１】
なお、上記テスト運転を実行するとき、テレビ制御部９３又はリモコン制御部８２は、水張りテストを行う旨を表示部３３やスピーカ３４で報知させるようにしてもよい。そして、このときの報知は、例えば、次にテレビ機能付きリモコン３のスイッチ操作等されるまで継続させてもよい。これにより、使用者には、水張りのテスト運転が実行されることを知ることができ、風呂給湯装置２が誤動作、故障等したと誤認することを防止できる。
【００３２】
また、テレビ機能付きリモコン３のスイッチ操作で、上記テスト運転をするか、しないかセットできるようにしてもよい。この場合、テレビ機能付きリモコン３において、テスト運転の予約設定をセットすると、テレビ視聴していない間、チューナ９１は、例えばＮＨＫの放送周波数を同調するようにしてもよい。緊急警報放送の試験放送の日程は、民放各局では放送局４によって異なるが、ＮＨＫによる緊急警報放送の試験放送は、どの地域でも毎月１日の午前１１時５９分から放送されるので、毎月１日に本システムが正常に作動するか否かを確実に確認できるからである。
【００３３】
なお、本発明は、上記実施の形態に限らず、例えば、以下のような変更を適宜施すことが可能である。
（１）上記災害時自動水張りシステムは、緊急警報放送の受信時に浴槽１へ水張りする構成とするが、風呂給湯装置２においてバーナ５３の燃焼を行って湯張りする構成としてもよい。
（２）上記災害時自動水張りシステムは、テレビ機能付きリモコン３を用いるが、ラジオ機能を持つリモコン（テレビ機能を有してもよい。）を用いてラジオ放送から緊急警報放送を受信して風呂給湯装置２に水張り指令又は湯張り指令を行うようにしてもよい。
（３）風呂給湯装置２において、災害予告等の情報である緊急警報放送を受信する受信手段（上記テレビ機能付きリモコン３のテレビ機能部９）と、この受信手段で緊急警報放送を受信したときに風呂給湯装置２を作動させて浴槽１への湯張り又は水張りを実行させるための制御を行う制御手段（上記テレビ機能付きリモコン３のリモコン機能部８）とを装備させてもよい。
【００３４】
（４）また、浴槽１には、自動排水栓１１を備えず、チェーン等で接続された手動式の排水栓を備えたものでもよい。この場合、図３のフローチャートで示す動作において、自動排水栓１１の状態検知等のステップ（Ｓ１２及びＳ１３）を省略し、緊急警報放送（試験放送も含む。）を受信した後（Ｓ２で「Ｙｅｓ」判定）から風呂給湯装置２による注水開始（Ｓ１４）までの任意の時点で、テレビ制御部９３又はリモコン制御部８２は、音声処理部３６を制御して緊急警報放送によって浴槽１へ水張り又は湯張りする旨（排水栓の閉栓を促す旨を含んでよい。）をスピーカ３４から報知させる。そして、浴槽１への注水開始（Ｓ１４）は、この報知を開始してから所定時間経過後に実行させるか、使用者がテレビ機能付きリモコン３でのスイッチ操作を行った後に実行させる等としてもよい。この報知によって、使用者は、浴槽１へ注水されることを知って排水栓を閉栓するように促されるので、排水栓が開栓状態で放置されて注水されることの防止となる。なお、この報知の停止は、テレビ機能付きリモコン３でのスイッチ操作、注水開始の時点、あるいは所定時間経過後等により行うことでもよい。また、上記報知は、台所リモコン等でも行うようにしてもよい。
【００３５】
（５）図３で示す貯水量検知の判定（Ｓ１５）は、流量カウンタ２２に代えて、水位センサ、タイマー等で行ってもよい。
（６）風呂給湯装置２は、風呂追焚き用熱源部６を備えて風呂の追焚き機能を有するが、少なくとも浴槽１への湯張り機能を有するものであればよい。この場合、貯湯式でもよい。
（７）風呂給湯装置２は、ガス燃料を用いるものに限らず、電気、太陽熱等の各種加熱源を用いるものでもよい。
【図面の簡単な説明】
【００３６】
【図１】実施の形態による災害時自動水張りシステムの全体構成を示す構成図である。
【図２】テレビ機能付きリモコン３の内部構成を示すブロック構成図である。
【図３】本災害時自動水張りシステムの動作を示すフローチャートである。
【符号の説明】
【００３７】
１  浴槽
２  風呂給湯装置（注水手段）
３  テレビ機能付きリモコン
４  放送局
７  制御ユニット
８  リモコン機能部（制御手段）
９  テレビ機能部（受信手段）
８１  通信回路部
８２  リモコン制御部
９１  チューナ
９２  コード検出部
９３  テレビ制御部
【図１】
2008045839.tif 000003
【図２】
2008045839.tif 000004
【図３】
2008045839.tif 000005